(57)【要約】サーフェス上でのウォーキング、ランニング、及びローリングへの移行のための外ホイール型ヒーリング装置が提供される。この装置は、爪先、土踏まず及びかかと部分を有するソールを備え、このかかと部分は、第一のサイド及び第二のサイドを備えている。前記爪先は、ウォーキング及びランニングのためにサーフェスに接触することが可能である。この装置は、更に、前記かかと部分の第一のサイドの近傍に回転可能な状態で接続された第一ホイール、及び、前記かかと部分の第二のサイドの近傍に回転可能な状態で接続された第二ホイール、を備える。
2005518259.tif 000002
【特許請求の範囲】
【請求項１】
サーフェス上でのウォーキング、ランニング、及びローリングへの移行のための外ホイール型ヒーリング装置であって、ソール、第一ホイール及び第二ホイールを備え、
ソールは、爪先、土踏まず、及びかかと部分を有し、
かかと部分は、第一のサイド及び第二のサイドを有し、
爪先は、ウォーキング及びランニングのためにサーフェスに接触することが可能であり、
第一ホイールは、前記かかと部分の第一のサイドの近傍に回転可能な状態で接続され、
第二ホイールは、前記かかと部分の第二のサイドの近傍に回転可能な状態で接続されている。
【請求項２】
下記特徴を備えた請求項１に記載の外ホイール型ヒーリング装置：
更に、前記ソールのかかと部分を貫通する車軸を備え、それによって、前記第一ホイールがかかと部分の前記第一のサイドで車軸の第一の端部に結合され、且つ、前記第二ホイールがかかと部分の前記第二のサイドで車軸の第二の端部に結合されるように構成されている。
【請求項３】
下記特徴を備えた請求項２に記載の外ホイール型ヒーリング装置：
前記車軸は、かかと部分にリジットに装着されている。
【請求項４】
下記特徴を備えた請求項２に記載の外ホイール型ヒーリング装置： 
前記かかと部分にバイアス機構が更に設けられ、このバイアス機構は、前記第一及び第二ホイールをサーフェスから離すために、前記車軸を前記ソールの上側部分の方向へバイアスして、前記第一及び第二ホイールを持ち上げる。
【請求項５】
下記特徴を備えた請求項４に記載の外ホイール型ヒーリング装置：
カンチレバー機構を更に備え、このカンチレバー機構は、ローリングのために前記第一及び第二ホイールがサーフェスに接触する位置に配置される第一のポジション、及び、ローリングを起こさないために前記第一及び第二ホイールがサーフェスから離れた位置に配置される第二のポジションに、前記車軸を位置させるように結合されている。
【請求項６】
下記特徴を備えた請求項２に記載の外ホイール型ヒーリング装置：
前記車軸は取り外し可能である。
【請求項７】
下記特徴を備えた請求項２に記載の外ホイール型ヒーリング装置：
前記第一及び第二ホイールは、前記車軸に対して取り外し可能に結合されている。
【請求項８】
下記特徴を備えた請求項１に記載の外ホイール型ヒーリング装置：
第一の車軸及び第二の車軸を更に備え、
第一の車軸は、前記かかと部分に結合され、前記かかと部分の第一のサイドから突出し、
第二の車軸は、前記かかと部分に結合され、前記かかと部分の第二のサイドから突出し、
それによって、前記第一ホイールは第一の車軸の第一の端部に結合され、前記第二ホイールは第二の車軸の第一の端部に結合されるように構成されている。
【請求項９】
下記特徴を備えた請求項８に記載の外ホイール型ヒーリング装置： 
前記第一及び第二の車軸は、取り外し可能である。
【請求項１０】
下記特徴を備えた請求項８に記載の外ホイール型ヒーリング装置：
前記第一ホイールは、前記第一の車軸に対して取り外し可能に結合され、且つ、前記第二ホイールは、前記第二の車軸に対して取り外し可能に結合されている。
【請求項１１】
下記特徴を備えた請求項１に記載の外ホイール型ヒーリング装置：
前記ソールの土踏まず部分に結合されたグラインド・プレートを更に備える。
【請求項１２】
サーフェス上でのウォーキング、ランニング、及びローリングへの移行のための外ホイール型ヒーリング装置であって、履き物、第一の車軸、第二の車軸、第一ホイール及び第二ホイールを備え、
履き物は、爪先部分、かかと部分及び土踏まず部分を有するソールを有し、
ソールの爪先部分は、ローリングの際には使用されず、ウォーキング及びランニングのためにサーフェスとの間の主要なコンタクトをもたらし、且つ、ローリングを抑え、
ソールのかかと部分は、第一の外側サイド及び第二の外側サイドを有し、
第一の車軸は、第一の端部及び第二の端部を有し、ソールのかかと部分に結合され、
第二の車軸は、第一の端部及び第二の端部を有し、ソールのかかと部分に結合され、
第一ホイールは、第一の車軸の第一の端部で第一の車軸に装着され、それによって、第一ホイールがかかと部分の第一の外側サイドの近傍に配置されるように構成され、
第二ホイールは、第二の車軸の第一の端部で第二の車軸に装着され、それによって、第二ホイールがかかと部分の第二の外側サイドの近傍に配置されるように構成されている。
【請求項１３】
下記特徴を備えた請求項１２に記載の外ホイール型ヒーリング装置：
第一管状部材及び第二管状部材を更に備え、
第一管状部材は、前記ソールのかかと部分に設けられ、それによって、第一管状部材の第一の端部が、かかと部分の前記第一の外側サイドから突出し、且つ、前記第一の車軸の第一の端部を受ける開口部を形成するように構成され、
第二管状部材は、前記ソールのかかと部分に設けられ、それによって、第二管状部材の第一の端部が、かかと部分の前記第二の外側サイドから突出し、且つ、前記第二の車軸の第二の端部を受ける開口部を形成するように構成されている。
【請求項１４】
下記特徴を備えた請求項１３に記載の外ホイール型ヒーリング装置：
前記第一及び第二の車軸は、前記第一及び第二の車軸の前記第二の端部の近くに、結合部分を備え、
前記外ホイール型ヒーリング装置は、第一保持機構及び第二保持機構を更に備え、
前記第一保持機構は、前記第一の車軸の一部を前記第一管状部材の前記開口部の中に保持するために、前記第一の車軸の前記結合部分に対して結合可能であり、
前記第二保持機構は、前記第二の車軸の一部を前記第二管状部材の前記開口部の中に保持するために、前記第二の車軸の前記結合部分に対して結合可能である。
【請求項１５】
下記特徴を備えた請求項１４に記載の外ホイール型ヒーリング装置：
前記第一及び第二保持機構に接続され、前記第一及び第二保持機構を解放して、前記第一及び第二の車軸を取り外すための解放機構を更に備える。
【請求項１６】
下記特徴を備えた請求項１５に記載の外ホイール型ヒーリング装置：
第一のスプリング及び第二のスプリングを更に備え、
第一のスプリングは、前記第一管状部材の中に配置され、前記第一の車軸を前記第一管状部材から押し付け、
第二のスプリングは、前記第二管状部材の中に配置され、前記第二の車軸を前記第二管状部材から押し付ける。
【請求項１７】
下記特徴を備えた請求項１２に記載の外ホイール型ヒーリング装置：
前記履き物のソールの土踏まず部分に結合されたグラインド・プレートを更に備える。
【請求項１８】
サーフェス上で静止状態からローリング状態へ移行するための方法であって、下記工程を備える：
爪先部分、土踏まず部分、及び第一の外側サイド及び第二の外側サイドを有するかかと部分を備えたソールを有する履き物を用いて、
ソールの爪先の少なくとも一部をサーフェス上に接触させて、ローリングを防止し、
ソールの爪先をサーフェスから持ち上げ、それによって、ユーザーの重量が爪先で全く支持されないか、あるいは、ユーザーの重量の僅かに一部のみが爪先で支持されるようにし、
ソールのかかと部分の第一の外側サイドの近傍で回転可能な第一ホイール、及びソールのかかと部分の第二の外側サイドの近傍で回転可能な第二ホイールを使用して、ユーザーの重量の少なくとも一部を支持しながら、サーフェス上でローリングする。
【請求項１９】
下記特徴を備えた請求項１８に記載の方法：
前記履き物のソールの土踏まず部分に設けられたグラインド・プレートを使用して、サーフェス上でグラインドすることを、更に含む。
【請求項２０】
下記特徴を備えた請求項１８に記載の方法：
前記第一及び第二ホイールは、前記履き物のソールのかかと部分の前記第一の外側サイドから前記第二の外側サイドへ伸びる取り外し可能な車軸に対して取り外し可能に結合され、
当該方法は、前記履き物のソールのかかと部分から前記車軸を取り外し、そして、前記車軸から前記第一及び第二ホイールを取り外すことを、更に含む。
【発明の詳細な説明】
【技術分野】
【０００１】
この発明は、広く、履き物を用いるスポーツに係り、特に、外ホイール型ヒーリング装置及び方法に係る。 
【背景技術】
【０００２】
かかとに ホイールを備えたスポーツ用の履き物は、本願発明者によって発明された。しかしながら、一部の人々は、標準的なヒーリング装置によって実現されるものよりも、更に優れた制御性、機能性及び融通性を要求している。このような理由から、よりアグレッシブなヒーラーが要求するレベルのヒーリングを可能にするため、改良型のヒーリング装置が必要になった。
【発明の開示】
【発明が解決しようとする課題】
【０００３】
上記のような背景から、上級のヒーリングのための外ホイール型ヒーリング装置及び方法に対する要求が生じたことが理解できるであろう。
【課題を解決するための手段】
【０００４】
本発明の一つのアスペクトによれば、ローリングのために使用可能な履き物が提供される。この履き物は、ソールを有し、このソールは、かかと部分、及び車軸に回転可能の装着された少なくとも二つのホイールを備えている。この車軸は、少なくとも部分的に、ソールによって保持され、それによって、履き物のソールのかかと部分の外周のエッジの側方で、少なくとも二つのホイールが回転可能であるように構成されている。
【０００５】
本発明の他のアスペクトによれば、ローリングのために使用可能な履き物が提供される。この履き物は、ソールを有し、このソールは、かかと部分、及び車軸に回転可能の装着された少なくとも第一及び第二ホイールを備えている。この車軸は、第一ホイールがソールのかかと部分の第一のサイドの近傍に配置され、且つ、第二ホイールがソールのかかと部分の第二のサイドの近傍に配置されるように構成されている。一つのアスペクトでは、第二ホイールは、ソールのかかと部分の第二のサイドに対して背中合わせの位置の近傍に配置される。
【０００６】
本発明の更に他のアスペクトによれば、ローリングのために使用可能な履き物が提供される。この履き物は、ソールを有し、このソールは、かかと部分、及び車軸に回転可能の装着された少なくとも第一及び第二ホイールを備えている。車軸の一部が履き物のソールから突出し、それによって、第一ホイールがソールのかかと部分の第一のサイドの近傍に配置され、且つ、第二ホイールがソールのかかと部分の第二のサイドの近傍に配置されるように構成されている。
【０００７】
一つのアスペクトでは、第一ホイールが第一の車軸に回転可能に装着され、第二ホイールが第二の車軸に回転可能に装着され、第一の車軸の一部は、ソールのかかと部分の第一のサイドの近傍でソールに接続され、第二の車軸の一部は、ソールのかかと部分の第二のサイドの近傍でソールに接続される。
【０００８】
一つのアスペクトにおいて、本発明は、更に、車軸に接続されたサスペンション機構を備え、あるいは、二つの車軸が設けられるアスペクトにおいては、第一及び第二の車軸にそれぞれ接続された第一及び第二のサスペンション機構を備える。このサスペンション機構は、衝撃を吸収することが可能であり、車軸に回転可能の装着されたホイールによるサーフェスへの接触を助ける。
【０００９】
更に他のアスペクトにおいて、車軸は、履き物のソールのかかと部分の少なくとも一部の下側に、第一及び第二ホイールが配置されるように結合される。
【００１０】
他のアスペクトにおいて、第一及び第二ホイールの第一の部分は、履き物のソールのかかと部分の少なくとも一部の下側に配置され、且つ、第一及び第二ホイールの第二の部分は、履き物のソールのかかと部分から横方向に離れた位置に突出している。
【００１１】
他のアスペクトにおいて、車軸は、ソールから突出し、それによって、第一及び第二ホイールは、ソールのかかと部分の外周のエッジの近傍に配置される。他のアスペクトにおいて、ホイールは、履き物のソールのかかと部分の外周のエッジから離れた位置に配置される。
【００１２】
一つのアスペクトにおいて、ホイールは、車軸から取り外し可能である。他のアスペクトにおいて、ホイールにロッキング機構が設けられ、このロッキング機構は、ロックされた位置にあるときに車軸の回りでの回転を防止することができる。他のアスペクトにおいて、当該外ホイール型ヒーリング装置にグラインド・プレートが設けられ、履き物のソールの土踏まず部分の少なくとも一部の近傍に配置される。
【００１３】
一つのアスペクトにおいて、本発明は、ヒーリングのための方法を提供する。この方法は、ソールを有する履き物を含む外ホイール型ヒーリング装置を用意する工程を含む。この履き物は、車軸に回転自在に装着された第一及び第二ホイールを有し、車軸の第一の端部は、履き物のソールのかかと部分の第一の外周のエッジから突出し、車軸の第二の端部は、履き物のソールのかかと部分の第二の外周のエッジから突出し、それによって、第一ホイールがソールのかかと部分の第一の外周のエッジの近傍に側方で回転することができ、且つ、第二ホイールがソールのかかと部分の第二の外周のエッジの近傍に側方で回転することができるように構成されている。
【００１４】
他のアスペクトにおいて、本発明は、サーフェス上でのウォーキング、ランニング、及びローリングへの移行のための外ホイール型ヒーリング装置を提供する。この外ホイール型ヒーリング装置は、ソール、及び第一及び第二ホイールを有する。ソールは、爪先、土踏まず、及びかかと部分を有し、かかと部分は、第一のサイド及び第二のサイドを備えている。
【００１５】
爪先は、ウォーキング及びランニングのためにサーフェスに接触することが可能である。第一ホイールは、かかと部分の第一のサイドの近傍に回転可能な状態で接続されている。第二ホイールは、かかと部分の第二のサイドの近傍に回転可能な状態で接続されている。
【００１６】
他のアスペクトにおいて、本発明は、サーフェス上で静止状態からローリング状態へ移行するための方法を提供する。この方法は、ローリングを防止するため、ソールの爪先の少なくとも一部をサーフェス上に接触させることを含む。履き物のソールは、第一の外側サイド及び第二の外側サイドを有するかかと部分を有する。このソールは、更に、土踏まず部分を有する。
【００１７】
この方法は、履き物のソールの爪先をサーフェスから持ち上げ、それによって、ユーザーの重量が全く爪先で支持されないか、あるいは、その僅か一部のみが支持されるようにする。この方法は、ソールのかかと部分の第一の外側サイドの近傍で回転することが可能な第一ホイール、及びソールのかかと部分の第二の外側サイドの近傍で回転することが可能な第二ホイールを使用して、ユーザーの重量の少なくとも一部を支持しながら、サーフェス上でローリングすることを含む。
【００１８】
その他の技術的な優位性は、以下の図面、説明及びクレイムから、当業者には明らかである。
【発明を実施するための最良の形態】
【００１９】
本発明及びその優位性についてのより完全な理解のために、以下において、添付図面を用いて詳しい説明を行う。なお、以下において、同様な参照符号は、同様な部分を表している。
【００２０】
先ず最初に、次のことを理解すべきである：即ち、本発明の実施例が、以下において図面を用いて示されているが、本発明は、現在知られているあるいは存在している様々な技術、材料、デザイン、及び形状を用いて実施することが可能である。本発明は、いかなる場合においても、以下に示された実施例、図面及び技術に、以下で図示され説明されるデザイン例及び実施例を含めて、限定されるものではない。
【００２１】
図１から２１に、ヒーリング装置及び方法の様々なアスペクトを、スポーツ用履き物の例として示す。この履き物は、一つまたはそれ以上本発明のアスペクトに従い、外ホイール型ヒーリング装置を用いて構成され、変形され、あるいは使用される。
【００２２】
しかしながら、次のことを理解すべきである：即ち、本発明は、図１〜２１に示されたヒーリング装置の構造、形状及び実施形態に限定されず、また、どのような履き物に対しても、または更なるあるいは異なる部品を用いて、適用することが可能であり、それらは、本発明の技術的範囲に含まれる。
【００２３】
図１は、本発明の一つの実施形態により、スポーツシューズ１２を用いて実現されたヒーリング装置１０の側面図である。このヒーリング装置１０は、好ましくは、履き物のソールのかかと部分に形成された開口部に設けられたホイール・アセンブリを含む。例えば、このスポーツシューズ１２は、ソール１４のかかと部分１８の底部に形成された開口部を含み、その穴の中にホイール１６がソール１４の底部の下に突出するように、ホイール・アセンブリが設けられている。このホイール・アセンブリは、例えば、車軸（図１中に図示せず）に回転自在に装着されたホイール１６のような、好ましくは、少なくとも一つのホイールを含む。車軸に装着されたホイール１６は、好ましくは、装着構造（図１中に図示せず）を介して、ソール１４の開口部の中に配置される。この装着構造は、ホイール１６の一部がソール１４のかかと部分１８の下に突出するように、車軸を支持することができる。
【００２４】
ソール１４の底部から下側に突出するホイール１６の部分の量あるいは長さは、距離２４で規定され、好ましくは、ホイール１６の直径よりも小さい。しかしながら、この距離２４は、ホイール１６の直径より大きくても、小さくても、あるいは、ホイール１６の直径と同一であっても良い。
【００２５】
このスポーツシューズ１２は、多くの履き物と同様に、ソール１４及び上側部分２６を有するものとして、一般的に表すことができる。上側部分２６は、皮革、プラスチック、またはキャンバス地などの、事実上、いかなる材料であっても良い。ソール１４は、次の三つの部分を含むことができる：
（１）インナー・ソールあるいはイン・ソール（図１中に図示せず）；
（２）ミッド・ソール２８；及び
（３）アウター・ソールあるいはアウト・ソール３０。
【００２６】
イン・ソールには、クッションを追加することが可能であり、且つ、取り外し可能であってもそうでなくても良い。ある実施形態においては、イン・ソールは、ドクター・ショールズ・イン・ソール（DR. SCHOLL'S insole）などの、取り外し可能な部分及びスポーツシューズ１２に取り付けられたまま残される部分を含んでいても良い。
【００２７】
アウト・ソール３０は、好ましくは、ゴムなどの耐久性のある材料で作られ、且つ、付加的な魅力を与えるため、凹凸などの質感を備えた表面を有していても良い。ミッド・ソール２８は、一般的に、ソフトなまたはクッション性のある材料で作られ、一般的に、イン・ソールやアウト・ソール３０よりも厚い。しかしながら、ある実施形態においては、ソール１４は、ローファーの皮製のソールのように、完全に唯一つの部分で構成される。
【００２８】
他の実施形態において、ソール１４は、皮製のウイングチップ・ドレス・シューズのかかとように、履き物を持ち上げる別のヒールブロックあるいはオブジェクトを有していても良い。このようなヒールブロックあるいはオブジェクトも、ソール１４のかかと部分１８の一部であると考えることができる。
【００２９】
本発明は、ソール１４のデザインまたは構造の如何に拘わらず、事実上全ての履き物に対して適用することができる事を理解すべきである。様々なスタイルの履き物及びその製造方法が、従来技術として知られ、また、当業者に知られている。例えば、米国特許第 4, 245, 406 号明細書、第 5, 319, 869 号明細書、第5, 384, 973 号明細書、第 5, 396, 675 号明細書、第 5, 572, 804 号明細書、第 5, 595, 004 号明細書、及び第 5, 885, 500号明細書は、全ての目的のために、ここにリファレンスとして組み込まれ、様々な履き物及びその製造方法に関する様々な背景情報を提供する。
【００３０】
スポーツシューズ１２を含む多くの履き物において、ソール１４もまた、図１に示されている様に、三つの部分あるいは領域に分割することができる：
（１）かかと部分１８；
（２）土踏まず部分２０；及び、
（３）爪先部分２２。
【００３１】
ソール１４のかかと部分１８、土踏まず部分２０及び爪先部分２２は、それらの間の境界を正確に規定することが困難であり、且つ、そのような部分は、履き物のタイプによってそれぞれ異なることを、理解すべきである。従って、ソール１４のかかと部分１８、土踏まず部分２０及び爪先部分２２の位置、それらの間の境界及びサイズは、単なる目安に過ぎない。
【００３２】
また、次のことを理解すべきである：即ち、ソール１４の底部に形成された開口部の位置、従ってホイール１６の位置は、好ましくは、ソール１４のかかと部分１８に配置されるが、そのような開口部を、かかと部分１８と土踏まず部分２０の境界部、土踏まず部分２０、あるいは、ソール１４の事実上他のいかなる位置に配置しても良い。ソール１４の底部に形成された開口部は、ソール１４の全体、即ち、アウト・ソール、ミッド・ソール及びイン・ソールに広がっていても良く、あるいは、ソール１４の一部、即ち、アウト・ソール、及びミッド・ソールの一部または全体に広がっていても良い。
【００３３】
ホイール１６は、ウレタン、プラスチック、ポリマー、金属、合金、木、ゴム、複合材料など、事実上、既知のあるいは入手可能な材料で作ることができる。それには、例えば、アルミニウム、チタン、鋼、及び樹脂が含まれる。好ましくは、この材料は、耐久性を備え、騒音を発生させにくく、且つ、ソフトでクッション性のある感覚を提供するものである。一つの実施形態において、ホイール１６は、ホイール１６自体として機能する精密ベアリングのような、一つまたはそれ以上精密ベアリングとして構成することができる。 
更に他の実施形態において、ホイール・アセンブリは、例えば板バネなどのスプリングまたはサスペンションを含んでいても良く、それによって、例えば、人がくたびれて、ヒーリング装置１０で歩いたときのように、ホイール１６がサーフェスに接触して、スポーツシューズ１２に対してサーフェスの方向に力が加えられたときに、更なるクッションまたはサスペンションを提供する。このスプリングは、好ましくは、ホイール・アセンブリの装着構造の一部として構成される。
【００３４】
更に他の実施形態において、ホイール１６は、内側のコア（例えば、硬質の内側のコア）が外側のタイヤ（例えば、ウレタン・タイヤ）によって取り囲まれた、ツーピース・ホイールとして構成される。
【００３５】
要求される実施形態に対応して、ホイール１６及び車軸をホイール・アセンブリから取り外し可能にすることもできる。そのような場合には、開口部にゴミや土が入らないように開口部をカバーするため、ソール１４の開口部に、取り外し可能なカバーを取り付けることもできる。そのような取り外し可能なカバーは、事実上、利用可能ないかなる形状であっても良く、当業者は容易にデザインすることができる。取り外し可能なカバーの一つの実施形態において、取り外し可能なカバーの軸の部分は、ホイール１６が装着される車軸がホイール・アセンブリの装着構造に取り付けられあるいは接続されるのと同一あるいは同様なやり方で、装着構造に取り付けあるいは接続される。
【００３６】
車軸及びホイール１６の取り外しを容易にするため、工具を用意しても良い。そのような工具は、好ましくは、小型で複数の機能（例えば、スクリュードライバー、レンチ、その他の機能）を備え、ヒーリング装置１０の、可能性のあるその他の調整にも使用できるように構成される。
【００３７】
ヒーリング装置１０の他の実施形態において、ホイール１６をソール１４の開口部の中に引き込み可能に構成することができる。このようにして、ホイール１６がソール１４の中に引き込まれ、それにより、ソール１４の底部の下側に突出しない。このことによって、ヒーリング装置１０を、スポーツシューズ１２などのような、通常の履き物のように機能させることができる。
【００３８】
本発明の一つの実施形態において、ホイール・アセンブリは、車軸を含まず、見方によっては装着構造をも含まず、その代わりに、例えば、ステンレス鋼製ボールベアリングのような、球状のホイール１６が使用される。この球状のホイール１６は、ソール１４のかかと部分１８の底部の開口部の中に回転自在に配置される。図１３に、そのような実施形態の一つが示されている。
【００３９】
他の実施形態において、ホイール・アセンブリは、ソール１４のかかと部分１８の中に完全にまたは部分的に配置された車軸を備え、それによって、ソール１４が車軸を支持し、ホイールがソールの開口部１４の中の車軸に回転自在に装着されるようにする。このようにすれば、装着構造の必要性が無くなる。
【００４０】
使用の際、ヒーリング装置１０を履いた人は、普通に歩くこともできるし、ソール１４を持ち上げあるいは引き上げて、ホイール１６のみがあるいはほとんどホイール１６のみがサーフェスに接触するようにして、ホイール１６上でローリングすることもできる。この操作は、“ヒーリング（HEELING）”あるいは“ヒール（HEEL）”と呼ばれる。
【００４１】
ホイール１６は、本発明の要求される実施形態に対応して、取り外しても良く、あるいは、ホイール１６がソール１４の底部から下側に突出しないような位置に、引き込んでも良い。これによって、一般的に、ヒーリング装置１０が同類の履き物のように使用されることになる。ホイール１６が取り外されあるいは引き込まれているとき、ソール１４の底部の開口部の上に取り外し可能なカバーを被せても良い。それにより、開口部にゴミが入り、ホイール・アセンブリが損傷を受けることを防止することができる。更に他の実施形態においては、ホイール１６の一部がソール１４の底部から下側に突出したままの状態で、取り外し可能なカバーをホイール１６の上に被せて、ウォーキングを可能にしても良い。図１２に、その一つの例が示されている。
【００４２】
しかしながら、上記のように、ホイール１６が取り外されあるいは引き込まれていないとしても、ユーザーがホイール１６が突出したままの状態で快適に歩いたり走ったりすることができることを、理解すべきである。このことは、距離２４を最小限に抑えることができるために、一般的に可能になり、このことは、ユニークな秘匿性あるいは隠蔽性をヒーリングに与える。これによって、ヒーリング装置１０のソール１４の開口部あるいは穴の中でホイールが回転することにもなる。一つの実施形態において、距離２４は、ホイール１６の半径よりも小さく、これによって、ホイールの大半の部分がソールの開口部１４の中に収まることになる。
【００４３】
図２Ａ及び２Ｂは、ヒーリング装置１０のソール１４の二つの実施形態の底面図である。特に、アウト・ソール３０あるいはソール１４の底部は、図２Ａでは、ソール１４のかかと部分１８に開口部４０が一つ設けられているように描かれている。ここに示された実施形態では、開口部４０の形状は正方形あるいは矩形である。しかしながら、開口部４０は、例えば円形あるいは楕円形などの、事実上いかなる形状であっても良い。
【００４４】
先にも説明したように、開口部４０は、ソール１４の一部あるいは全体に伸びていても良い。開口部４０は、ヒールブロックあるいはオブジェクトの中に設けられても良い。更に、開口部４０を、かかと部分１８、土踏まず部分２０及び爪先部分２２の近くに、または、それらの組み合わせの中に、配置しても良い。
【００４５】
図２Ａには、開口部４０の配置及び形状についての第二の実施形態が示されている。アウト・ソール３０は、ソール１４のかかと部分１８に開口部４０Ａ及び開口部４０Ｂを有するように描かれている。このようにして、一つまたはそれ以上ホイールを、一つまたはそれ以上車軸とともに、開口部４０Ａ及び４０Ｂの双方の中に配置しても良い。
【００４６】
図３Ａ及び３Ｂは、図２Ａ及び２Ｂに示されたソール１４の二つの実施形態の底面図であって、ソールの開口部にそれぞれ一つのホイールが配置されている。図３Ａの開口部４０には、ホイール４２が配置され、図３Ｂ開口部４０Ａ及び４０Ｂには、ホイール４２Ａ及びホイール４２Ｂがそれぞれ配置されている。
【００４７】
ホイール４２、及びホイール４２Ａと４２Ｂは、円筒形のホイールとして描かれている。しかしながら、これらのホイールは、使用可能なものであれば事実上いかなる形状であっても良い。更に、一つまたはそれ以上ホイールをそれぞれの開口部の中に配置しても良い。
【００４８】
図３Ａには、更に、ホイール・アセンブリの他の要素が描かれている。それらは、装着構造の第一部材４８及び第二部材５４であって、それらは、車軸５０を取り外し可能に接続するために使用される。車軸５０は、ホイール４２が車軸５０に回転自在に接続されあるいは装着されるように、ホイール４２を貫通して伸びている。車軸５０は、好ましくは、例えば高性能精密ベアリングのような、精密ベアリングの使用を含んでおり、それらは、ホイール４２の両側に設けられた、例えば環状のリセスのような、リセスの中に配置される。第一の精密ベアリング５６及び第二の精密ベアリング５８は、ＡＢＥＣグレードの精密ベアリングとしても良い。それらは、破線で描かれており、ホイール４２の第一リセス及び第二リセスの中に配置されている。他の実施形態において、ルーズ・ボールベアリングを使用しても良い。
【００４９】
車軸５０は、例えば強度及び重量などのような物理的性能が適合するものであれば、どのような材料であっても良い。車軸５０は、好ましくは、硬化された鋼で作られ、円筒形で、両端が丸められ、それぞれ、装着構造の第一部材４８及び第二部材５４に取り外し可能に接続される。車軸５０の各端と、第一部材４８及び第二部材５４との間の取り外し可能な接続は、既知のあるいは入手可能なメカニズムのいずれを用いても実現できる。
【００５０】
好ましい実施形態において、球形のあるいはボールのベアリング（好ましくは、可動式のスプリングおよび／またはネジ・バイアスを使用するもの）が、装着構造の一つまたはそれ以上の部材と車軸５０との間の接触のため、及び、側面方向の力を受けるために使用される。
【００５１】
次のことについても留意すべきである：即ち、ヒーリング装置１０のユーザーの重量が、相当量の下向きの力を生じさせ、地面あるいはサーフェスは、同量の上向きの力を生じさせるので、車軸５０の位置、従って、一般的にホイール４２の位置が保たれる。
【００５２】
かかとがサーフェスから持ち上げられたときのみに、車軸５０の位置を保つために何らかの力あるいは摩擦が必要になる。このようにして、本発明は、車軸５０及びホイール４２の位置を保つために、大きな側面方向の力を必要としない。この事実の認識は、ここに示された実施形態に対する本発明のアスペクトとして考えることができる。この認識は、車軸５０の各端と、第一部材４８及び第二部材５４との間の取り外し可能な接続が、最適な状態でデザインされることを可能にする。
【００５３】
図３Ａにはまた、グラインド・プレート４４（スライド・プレート４４とも呼ばれる）が描かれている。このグラインド・プレート４４は、本発明のヒーリング装置１０に取り付けて使用することができる。このグラインド・プレート４４は、スムーズなあるいは比較的スムーズなサーフェスを提供し、それにより、ユーザーは、手すり、縁石、階段、角、その他のような、様々なサーフェスの上を、グラインドあるいはスライドすることが可能になる。このグラインド・プレート４４は、好ましくは、いくらか薄い、プラスチックあるいはポリマー材料で作られる。
【００５４】
好ましい実施形態において、グラインド・プレート４４は、ソール１４のアウト・ソール３０の土踏まず部分２０に、取り外し可能に取り付けられる。このグラインド・プレート４４は、例えば、グラインド・プレート４４の周囲の様々な位置に示されている締結具４６のような、既知のあるいは入手可能な締結具を用いて取り付けることができる。
【００５５】
図３Ｂには更に、車軸５２が描かれている。開口部４０Ａ及び開口部４０Ｂの中で、車軸５２の両端にホイール４２Ａ及びホイール４２Ｂがそれぞれ接続されている。車軸５２は、図３Ｂには描かれていないが、ホイール４２Ａ及び４２Ｂの双方の中に伸び、ソール１４の一部を貫通している。これにより車軸５２が支持される。図３Ｂは、ソール１４がホイール・アセンブリの装着構造として使用される状態を示している。これにより、部品の点数が削減される。
【００５６】
代替的な実施形態において、金属あるいは他の何か適切な材料を、ソール１４のかかと部分１８の中で使用してもよく、その場合、車軸５２は、更なる支持及び安定性を実現するように配置される。これは、装着構造が、事実上、ソール１４の中に組み込まれた形態の例である。当業者であれば分かるように、本発明は、様々なやり方で実現することが可能である。
【００５７】
図４は、車軸６２に回転自在に装着されたホイール６０の斜視図である。これはまた、ホイール／車軸装置と呼ばれ、本発明の一つの実施形態によるホイール・アセンブリあるいはヒーリング装置の中で使用される。ホイール６０及び車軸６２はまた、ホイール／車軸・アセンブリ４００とも呼ばれる。この実施形態において、車軸６２はホイール６０の中を貫通し、その両端部は丸められた形状あるいは弾丸形状である。
【００５８】
精密ベアリング６４がリセスの中に配置されているところが示されている。このリセスは、ホイール６０の環状のリセスとして示され、車軸６２の回りでのホイール６０の回転を容易にする。好ましくは、図４中には示されていないが、第二の精密ベアリングが、第二リセスの中に配置され、そのような回転を更に容易にする。
【００５９】
スリップ・クリップ、スリップリング、あるいはリング・クリップ６６が、精密ベアリング６４の近くで、車軸６２の周囲あるいはほぼ周囲に配置されているところが示されている。このリング・クリップは、精密ベアリング６４をホイール６０のリセスの中に保持するために使用される。このスリップ・クリップあるいはリング・クリップ６６は、好ましくは、車軸６２の周方向溝あるいは周方向の窪みのような、溝を介して車軸６２に取り付けられる。
【００６０】
しかしながら、次のことを理解すべきである：即ち、当業者であれば、精密ベアリング６４を所定の位置に保持するために、これ以外のさまざまな構造を採用することも可能である。代替的な実施形態において、精密ベアリング６４を使用せずに、その代わりに、ルーズ・ベアリングを使用しても良い。
【００６１】
車軸６２に回転自在に装着されたホイール６０は、代替的な実施形態において、本発明のホイール・アセンブリとして機能することができる。そのようなケースにおいては、ホイール６０がソールの開口部の中に回転自在に配置された状態で、車軸６２をその両端で、ミッド・ソール及びかかと部分のようなソールに装着しても良い。そのような場合、装着構造の必要性が無くなったと考えることが可能であり、あるいは、装着構造が履き物のソールの中に統合されたと考えることも可能である。
【００６２】
図５は、図４に示されているような、車軸６２に回転自在に装着されるホイールとともに使用されてホイール・アセンブリを構成する装着構造７０の斜視図である。この装着構造７０は、ヒール・コントロール・プレート７２、第一の部材７４及び第二の部材７６を、一般的に備えている。代替的な実施形態において、上記の二つの部材がヒール・コントロール・プレート７２に接触するところに、板バネのような、スプリングを使用することができる。このことは、大きなクッション及びサスペンションの効果をもたらす。上記の二つの部材は、車軸の端部を受けるための第一の部材７４の開口部７８のような、開口部を有している。
【００６３】
なお、この開口部は、上記部材を貫通するものあるいは異なった位置にあるものなど、事実上いかなる形状で設けられていても良く、あるいは、ホイール／車軸・アセンブリ４００を、引き込まれた位置及び突出した位置で、上記部材に対して装着するため、複数の位置に設けられていても良い。
【００６４】
第一の部材７４及び第二の部材７６の開口部の中に配置される車軸は、好ましくは、取り外し可能に接続される。このことは、様々な構成及び形状によって実現することが可能であり、それらの全てが本発明の技術的範囲に含まれる。
【００６５】
一つのそのような構成は、第一の部材７４の中に設けられた、ネジ／スプリング／ボール装置８０である。この構成は、車軸が開口部７８に挿入されたとき、車軸に対して調整可能なバイアスあるいは力を加えることを可能にする。このネジは、ユーザーによってアクセス及び調整が可能である。このネジを回わしてスプリングに圧縮量を与えることによって、開口部７８の中にあるボールに作用する力を調整することができる。車軸が開口部７８の中に挿入されたとき、ボールは、相当程度変位することが可能である。ネジ／スプリング／ボール装置８０は、側面方向の力を発生させ、取り外し可能な車軸を保持することを可能にする。同様な構成を、第二の部材７６にも設けて、車軸６２の他の端部にフリクション・フィットまたは接続を形成することができる。
【００６６】
図５に示したネジ／スプリング／ボール装置８０は、第一の部材７４に設けられた水平方向の開口部に取り付けられているが、上記部材に他のやり方で設けられた開口部を用いても良い。
【００６７】
例えば、ネジ／スプリング／ボール装置８０に加えられる張力あるいは圧縮力の調整は、斜めの開口部の中で行っても良い。その場合、例えば、ネジ／スプリング／ボール装置８０の露出された端部（通常、ネジの頭部）が、図５の中で、参照符号７４の引き出し線が第一の部材７４に接する位置に来るようになる。このことは、図６に示されたホイール・アセンブリ１００のような、ホイール・アセンブリが、ソールの開口部の中に装着あるいは配置されてヒーリング装置を構成するときに、車軸６２のテンション及びフリクション・フィットを調整するためのアクセスを容易にする。もちろん、様々な他の構成、形状、開口部の配置が、本発明において、考えられ且つ実施することが可能である。
【００６８】
装着構造７０は、例えば剛性や強度などの、要求される機械的性質に一般的に応じて、様々な材料で製作しあるいは構成することができる。これらの材料には、例えば、プラスチック、ポリマー、金属、合金、木、ゴム、複合材料などが含まれる。これは、アルミニウム、チタン、鋼、及び樹脂を含む。一つの実施形態において、装着構造７０は、例えばアルマイト処理されたアルミニウムのような、金属で作られ、それによって、装着構造７０に黒あるいは色合いが付けられる。
【００６９】
図６に、ホイール・アセンブリ１００の底面図を示す。このホイール・アセンブリ１００は、図４に示された車軸６２に回転自在に装着されたホイール６０、及び図５に示された装着構造７０を備える。第一の部材７４及び第二の部材７６は、車軸６２の両端部に、例えば、ネジ／スプリング／ボール装置８０のようなバイアス・メカニズムを用いて実現されたバイアス・メカニズムを介して、それぞれ、取り外し可能に接続されている。ボール１０２が、開口部７８の中で、車軸６２の一方の端部に接触しているところが示されている。更に、例えば、リング・クリップ６６のようなスリップ・クリップあるいはリング・クリップ（スナップ・リングあるいはスリップリングとも呼ばれる）が、精密ベアリングをホイールのリセスの中に保持さるために使用されている。
【００７０】
ヒール・コントロール・プレート７２は、ヒーリング装置のユーザーが、ヒーリング装置をコントロールし、且つ、ヒーリング装置を用いて大きなパフォーマンスを実現することを可能にする。
【００７１】
図７に、ホイール・アセンブリ１００の側面図を示す。このホイール・アセンブリ１００は、開口部の上及び中に配置されてヒーリング装置１２０を構成する。ヒール・コントロール・プレート７２は履き物の中に組み込まれていて、それにより、ユーザーがかかとでヒール・コントロール・プレートに適宜、圧力をかけて、ヒーリング装置１２０の操作及びパフォーマンスを改善することを可能にする。
【００７２】
図８Ａ、８Ｂ、８Ｃ及び８Ｄに、様々なホイール２００の形態図を示す。これらの図は、本発明の様々な実施形態において使用されるこれらのホイールの外観形状を示している。図８Ａには、フラットなあるいはスクウェアな外観形状あるいは外形形状２０４を有するホイール２０２が示されている。図８Ｂには、内向きに湾曲した外形形状２０８を有するホイール２０６が示されている。図８Ｃには、丸く湾曲した外形形状２１２を有するホイール２１０が示されている。最後に、図８Ｄには、鋭く湾曲した外形形状２１６を有するホイール２１４が示されている。本発明は、適用可能なものであれば事実上いかなるホイールの外観形状でも使用することが可能である。
【００７３】
図９に、ヒーリング装置のホイール・アセンブリで使用するための他の実施形態の装着構造５００の斜視図を示す。この装着構造５００は、車軸５０２を有し、この車軸５０２は、部材５０を貫通し且つ部材５０に装着された一つの車軸と考えることができる。あるいは、一方の車軸５０２が部材５０６に接続され、且つ、その反対側で、もう一方の車軸５０４が部材５０６に接続されていると考えることもできる。この装着構造５００は、更に、部材５０６に接続されるヒール・コントロール・プレート５０８を有している。
【００７４】
この装着構造５００には、二つのホイールが装着されてホイール・アセンブリを構成する。先に述べたように、ホイールを、好ましくは、精密ベアリングを用いて車軸５０２に回転自在に取り付けても良く、ホイールを、好ましくは、精密ベアリングを用いて車軸５０４に回転自在に取り付けても良い。
【００７５】
この車軸５０２及び車軸５０４は、ネジの部分を有し、それによって、例えばロックナット５１０のようなナットで、ホイールを各車軸に対して固定するように構成されている。他の実施形態において、車軸の端部に内ネジが形成され、そこに外ネジ（例えば図１０に示す六角ネジのようなネジ）が結合される。車軸と上記部材との間の接続は、適用可能なものであれば事実上いかなる接続であっても良いことを理解すべきである。
【００７６】
図１０に、ヒーリング装置において使用するための更に他の実施形態を使用するホイール・アセンブリ５２０の斜視図を示す。ホイール５２２は、精密ベアリング５２６を用いて車軸５２４に回転自在に装着され、第一の部材５２８及び第二の部材５３０は、例えば六角ネジ５３２のようなネジを介して車軸５２４の各端部に接続される。このホイール・アセンブリ５２０は、ホイール／車軸装置を簡単に装着したり取り外したりすることができないことを除いて、先に図６を用いて説明したホイール・アセンブリ１００と同様な構造を備えている。
【００７７】
図１１に、ヒーリング装置６００の一つの実施形態の側面図及び部分断面図を示す。この図では、ホイール・アセンブリ６０２が、ソール６０４及びソール６０４の開口部６０６に取り付けられ、このホイール・アセンブリ６０２は、ソール６０４の中に完全には広がっていない。このように、装着構造６０８を、ソール６０４の中に配置あるいは組み込むことが可能であり、その装着構造６０８を、簡単に取り外しができないようにしても良く、できないようにしても良い。ホイール６１０が、ソール６０４の底部から下側に部分的に突出しているところが示されている。これにより、ステルス（秘匿性）ヒーリングが可能になる。
【００７８】
図１２は、この本発明のヒーリング装置６２０の他の実施形態の側面図であって、このヒーリング装置６２０は、ホイール６２４及びソール６２８の開口部６２６を覆うように取り付けられた取り外し可能なホイールカバー６２２を備えている。この取り外し可能なホイールカバー６２２は、ホイールを突出させた状態で、即ち、ソール６２８の底面より下側にした状態で、ホイールをサーフェスで回転させないことを可能にする。本発明のヒーリング装置６２０によれば、ホイールが回転可能な状態のまま、ユーザーが歩いたり走ったりすることも可能であるが、この取り外し可能なホイールカバー６２２を用いることにより、土やゴミの侵入が防止され、より大きな安定性が実現される。
【００７９】
他の代替的な実施形態において、ホイール・ストップを、図１２中に明示的には示されていないが、取り外し可能なホイールカバー６２２の替わりにあるいはそれとともに、ホイール６２４の回転を止めるために使用しても良い。一つの実施形態において、ホイール・ストップは、スポンジあるいはフレキシブルな材料のような、ホイール６２４と開口部６２６の間に嵌め込まれてホイール６２４の回転を停止あるいは抑制し、且つ、摩擦によってそこに保持されるものであれば、事実上いかなる材料を用いて作ることもできる。
【００８０】
ホイールカバー６２２の実施形態において、ホイールカバーの取り付けは、ヒーリング装置６２０からホイール６２４が取り外された後に行われる。好ましい実施形態において、このホイールカバーは、ソール６２８の底部の残りの部分とほぼ同一の平面を形成するように構成され、必要な場合には通常の靴としての機能を実現し、それと同時に、開口部を保護する。このホイールカバーは、様々な方法で取り付けることが可能であるが、好ましくは、ホイール／車軸装置を装着構造に対して接続するのと同一あるいは同様なやり方を用いて、ホイール・アセンブリに接続される。この取り外し可能なホイールカバーは、様々な方法で、ホイール・アセンブリに対して、装着されあるいは取り付けられる。
【００８１】
図１３に、ヒーリング装置７００の他の実施形態の底面図を示す。この装置は、ホイールとして機能する球形ボール７０２を有し、このボールは、ソールのかかと部分７０６の開口部内の装着構造７０４の中に収容されている。
【００８２】
図１４に、本発明を用いて“ヒール”している“ヒーラー”８００の斜視図を示す。ヒーリングは、様々なテクニックを用いて行うことができるが、一般的に、バランス、位置決め、柔軟性及び調整の技量の組み合わせが要求される。
【００８３】
サーフェス上でヒーリング装置を使用するための方法の一つの例は、ヒーリング装置のソールの爪先部分をサーフェスに接触させた状態で、サーフェス上でランニングし、次いで、ヒーリング装置のホイールをソールの開口部からソールの底部の下側に突出させ、ヒーリング装置のホイールをサーフェスに接触させて、サーフェス上でローリングすることを含む。
【００８４】
この方法は、サーフェス上でランニングする前に、ヒーリング装置を付けたまま、ヒーリング装置のホイールをヒーリング装置のソール部分の底部よりも下側に突出させた状態で、サーフェス上でウォーキングすることを含んでいても良い。ヒーリングはまた、丘や、下り坂を含むサーフェス上で行うことも可能である。
【００８５】
ヒーリングの方法は、サーフェス上でウォーキングする前に、ヒーリング装置のホイールをヒーリング装置のソール部分の底部よりも下側に突出させて、ホイールを働かせることを含む。この方法はまた、ヒーリング装置をつけたまま、ヒーリング装置のホイールを働かせる前に、ヒーリング装置のホイールを引き込んだ状態で、サーフェス上でウォーキングすることを含む。この方法の他の変形は、サーフェス上でのローリングからランニング、ウォーキング、またはサーフェス上での停止のいずれかへの移行の際、サーフェス上でのローリングの直後に、ヒーリング装置のソール爪先部分をサーフェスに接触させてサーフェス上でランニングすることを含む。
【００８６】
ヒーリングの際の好ましい位置が、図１４の中のヒーラー８００によって示されている。そこでは、サーフェス上でのローリングの際に、一つのヒーリング装置８０２が他のヒーリング装置８０４の前方に置かれている。このヒーリング装置８０４のかかと部分８０６の後部から分かるように、時折、かかと部分８０６の後部とサーフェスの間の隙間が小さくなることがある。そのため、好ましい実施形態において、かかと部分８０６の後部は、耐磨耗性を備えた材料で作られる。
【００８７】
ヒーリングの方法はまた、減速あるいは停止のための様々なテクニックを採用することが可能である。例えば、ヒーリング装置のソールの爪先部分をサーフェスに接触させることにより、摩擦を発生させ、ローリングを減速させ、次いでサーフェスからホイールを離しても良い。他の例では、ヒーリング装置のソールのかかと部分をサーフェスに接触させることによって減速を行う。
【００８８】
図１５に、伸縮式の車軸９０４に回転自在に装着されたホイール９０２の斜視図を示す。この図は、図４と同様に、ホイール／車軸アセンブリ９００と呼ぶこともできる。この伸縮式の車軸９０４は、例えば図１６に示されているものと同様なスプリングが内蔵されたアジャスタブルな車軸や、あるいは、ネジ式の伸縮式の車軸などのような、様々なやり方によって実現することができる。このことは、このホイール／車軸アセンブリ９００をヒーリング装置で使用した場合に、ホイール／車軸アセンブリ９００を、より簡単に取り外し、および／または、ホイールが地面に接しない位置に引き込むことを可能にする。
【００８９】
図１６に、図１５のホイール／車軸アセンブリ９００の伸縮式の車軸９０４の断面図を示す。これは、スプリング内蔵型の伸縮式の車軸である。図から分かるように、この伸縮式の車軸９０４は、伸縮式の車軸９０４を両端から内部のスプリングの力に抗して圧縮することによって、調整あるいは短縮することができる。
【００９０】
図１７に、他の装着構造９２０の斜視図を示す。この装着構造９２０は、図１５及び図１６にそれぞれ示されたホイール／車軸アセンブリ９００及び伸縮式の車軸９０４とともに使用され、ホイール・アセンブリを構成する。この伸縮式の車軸９０４は、第一の位置９２６で第一の部材９２２及び第二の部材９２４に接続され、それにより、ホイールは引き込まれた位置になる。また、この伸縮式の車軸９０４は、第二の位置９２８で第一の部材９２２及び第二の部材９２４に接続され、それにより、ホイールは突出した位置になる。
【００９１】
図１８に、ソール９４２の開口部の中に配置されたホイール・アセンブリ９４０の側面図・部分断面図を示す。この図は、車軸９４４の一つの実施形態を示していて、その車軸９４４は、キングピン装置または複式キングピン装置と呼ばれるアセンブリを用いて装着構造９４６に接続され、引き込み可能なホイール９４８を構成している。これは、引き込み可能なホイール９４８を、必要に応じて上部位置または下部位置に調整することを可能にし、引き込み可能な位置から突出した位置に移動させることを可能にする。キングピン９５０（ネジあるいはボルトで構成することも可能である）は、装着構造９４６の部材の中のネジが加工された開口部の中に、取り付けられている。キングピン９５０を、部材の開口部の中に更にねじ込んで行くことにより、車軸９４４を引き込ませることができる。キングピン９５０は、車軸９４４の反対側にも、他の部材を支持するために設けられている。
【００９２】
他の実施形態においては、図９の中の装着構造５００のように、単一の部材の中に単一のキングピンが設けられ、部材と車軸を介して引き込み可能なホイールを構成する。
【００９３】
キングピンタイプのアセンブリの一つの例が、米国特許第 4, 295, 655 号明細書（David L. Landay, et al. に対して発行され、１９７９年７月１８日に出願され、１９８１年１０月２０日に発行された）の中に示されており、その内容は、全ての目的のためのリファレンスとしてここに含まれる。この特許は、本発明の実施形態の中で使用できるキングピンタイプのアセンブリを示している。
【００９４】
図１９に、図１８のホイール・アセンブリ９４０の底面図を示す。この図は、更に、複式キングピン装置を示し、キングピン９５０が装着構造９４６の部材を貫通している。
【００９５】
図２０に、装着構造９４６の一つの部材の側面図を示す。また、この図は、図１８と同様な複式キングピン装置を用いて、装着構造９４６に対して車軸９４４を結合するところを示している。先に論じたように、この構造は、車軸９４４を、従ってそれに取り付けられたホイールを、任意のレベルに移動させることや、引っ込んだ位置から突出した位置へ移動させることを可能にする。
【００９６】
車軸を、適用可能な技術を用いて、且つ、様々なやり方によって、装着構造の部材に接続しても良いことを理解すべきである。例えば、車軸を、スプリングにより、引っ込んだ位置から突出した位置へ移動できるように、装着構造の第一の部材及び第二の部材に対して接続しても良い。同様に、車軸を、ヒンジにより、引っ込んだ位置から突出した位置へ移動できるように、装着構造の第一の部材及び第二の部材に対して接続しても良い。
【００９７】
例えば、米国特許第 3, 983, 643号明細書（Walter Schreyer, et al. に対して発行され、１９７５年５月２３日に出願され、１９７６年１０月５日に発行された）のように、多くの他の例を用いることが可能であり、その内容は、全ての目的のためのリファレンスとしてここに組み込まれる。この特許には、本発明の一つの実施形態で使用することができる引き込み可能な機構が示されている。
【００９８】
米国特許第 5, 785, 327号明細書（Raymond J. Gallant に対して発行され、１９９７年６月２０日に出願され、１９９８年７月２８日に発行された）の内容が、全ての目的のためのリファレンスとしてここに組み込まれる。この特許には、同時に引き込み可能なホイールが示されている。
【００９９】
図２１に、ツーピース・ホイール９７０の分解図・斜視図を示す。このツーピース・ホイール９７０は、内側のコア９７２、例えばウレタン・ホイールのような外側のタイヤ９７４、車軸９７６、及び、本発明の中で使用することができるベアリング９７８を備えている。好ましい実施形態において、ベアリング９７８は、ツーピース・ホイール９７０と比べて小さく、例えば、ベアリング９７８の外側の直径は、外側のタイヤ９７４の外側の直径の半分よりも小さい。これは、ソフトな乗り心地、良好な操作性及び長い寿命を含む、大きな優位性をもたらす。このことは、外側のタイヤ９７４を大きく且つ厚くすることができることからもたらされる。
【０１００】
他の実施形態において、ベアリング９７８の外側の直径は、外側のタイヤ９７４の外側の直径の半分よりも大きい。
【０１０１】
好ましい実施形態において、ツーピース・ホイールの内側のコア部分は、より硬質の材料によって作られ、ベアリングを支持するための剛性をもたらす。これに対して、外側のタイヤ部分は、例えば軟質ウレタンのような、より軟質の材料によって作られ、性能を向上させるとともに騒音の発生を抑える。これらのタイプのホイールを、“デュアル・デュロメータ”タイプのホイールと呼ぶことができる。
【０１０２】
図２２に、本発明に従って構成された、ヒーリングのためにユーザーが使用するための外ホイール型ヒーリング装置１０１０を示す。本出願の発明者は、スケーティングに適切なヒーリング装置を提供することにより、スポーツ用の履き物産業を革新した。このヒーリング装置は、ユーザーが履き物の一部に乗って歩くこと、及び、履き物の第二の部分に乗ってローリングすることを可能にする。本願発明者は、アグレッシブなヒーラーがより優れた性能を求めており、そのような要求を満たすために改良されたデザインが必要であることに着目した。
【０１０３】
外ホイール型ヒーリング装置１０１０は、ソール１０１４を有する履き物１０１２を有している。この履き物１０１２のソール１０１４は、かかと部分１０１６、土踏まず部分１０１８及び爪先部分１０２０を備えている。かかと部分１０１６と土踏まず部分１０１８の間、あるいは、土踏まず部分１０１８と爪先部分１０２０の間に、明確な境界線がないことを理解すべきである。この理由のために、ソール１０１４のこれらの部分は、ソール１０１４の各領域を、大雑把に指しているに過ぎない。
【０１０４】
図２３に示すように、外ホイール型ヒーリング装置は、ソール１０１４のかかと部分１０１６の一部を貫通する車軸１０２４に回転自在に装着された複数のホイール１０２２を備えている。このアスペクトでは、ソール１０１４は、その中に、ソール１０１４のかかと部分１０１６を第一のサイド１０３０から第二のサイド１０３２に貫通する開口部１０２６が形成されている。この開口部１０２６は、この開口部１０２６の中に車軸１０２４を受け入れることができるサイズを有している。
【０１０５】
一つのアスペクトにおいて、ソール１０１４内の開口部１０２６を直接貫通するように、車軸を設けても良い。しかしながら、他のアスペクトにおいて、スリーブ（図示せず）（リジッドなプラスチックまたは他の材料を用いて作られた円筒状の管状部材）を、開口部１０２６の中に開口部１０２６の内面を覆うように取り付けても良く、且つ、車軸１０２４を保持するためのよりリジッドなハウジングを設けても良い。
【０１０６】
この例では、複数のホイール１０２２が、ソール１０１４のかかと部分１０１６の外周のエッジ１０３４の近傍に配置されていることが分かる。あるアスペクトでは、ホイールは、かかと部分１０１６の外周のエッジ１０３４により近くても良く、一方、他のアスペクトでは、車軸１０２６がより長く、ホイール１０２２が外周のエッジ１０３４からより離れた位置に配置されるようになっていても良い。
【０１０７】
本発明の一つのアスペクトによれば、グラインドに使用されるグラインド・プレート１０３６を、履き物１０１２の底部でソール１０１４の土踏まず部分１０１８の近くに配置しても良い。このグラインド・プレート１０３６は、良く知られている様々な取り付け方法を用いて取り付けることが可能であり、且つ、例えばリジッドなポリマー系材料など、様々な材料を用いて製作することができる。このグラインド・プレート１０３６は、土踏まず部分１０１８に配置され、本発明の装置をヒーリングのために使用するのみではなく、歩道、手すり、及び他の場所でグラインドするためにも使用することを可能にするという点で、外ホイール型ヒーリング装置１０１０により多くの機能を付加することになる。
【０１０８】
図２４に、外ホイール型ヒーリング装置１０１０の背面図を示す。このアスペクトにおいて、複数のホイール１０２２をソール１０１４のかかと部分１０１６のサイドに配置することによって、ヒーリング中のユーザーに対して安定性の増大がもたらされることが分かる。この形状によって得られる安定性の増大は、より広いホイールベース、及び、ホイール１０２２の形状及びソール１０１４の中の車軸１０２４の固定に対する大きな融通性によってもたらされる。そのようなものとして、この形状は、高度性能ヒーリングのために外ホイール型ヒーリング装置１０１０を使用するとき、より優れた制御性、安定性、使用し易さ及び回転の融通性、及び他の無数の利点をもたらす。 
図２５に、複数ホイール式のヒーリング装置１０１０の他のアスペクトを示す。この装置は、複数のホイール１０２２を有し、それらはソール１０１４のかかと部分１０１６に形成された開口部１０４０の中に収容されている。図２６では、図２５に示された外ホイール型ヒーリング装置１０１０よりも下側にホイール１０２２が示され、そのホイール１０２２は、ソール１０１４の開口部１０４０の中に部分的に収容されている。このアスペクトにおいて、ホイール・ウエルのような、ソール１０１４の開口部１０４０の中に収容できるように、僅かに小さめなホイールが使用されることが分かる。このアスペクトは、増大した安定性、制御性、及び先に挙げた他の利点などの本発明によって得られる追加された利点を維持しながら、背の低いプロファイルを実現する。
【０１０９】
図２７は、外ホイール型ヒーリング装置１０１０の、このアスペクトの背面図であって、ホイール１０２２の配置を示している。この例では、ホイール１０２２の少なくとも一部が、ソール１０１４のかかと部分１０１６の外周のエッジ１０３４の外に張り出している。
【０１１０】
図２８に、本発明の他のアスペクトを示す。この外ホイール型ヒーリング装置１０１０は、ホイール１０２２に接続される第一の車軸１０４２及び第二の車軸１０４４を使用する。第一の車軸１０４２及び第二の車軸１０４４は、例えば、車軸をソール１０１４にネジで結合すること、または、当業者に広く知られそれ故当業者ならば容易に想到可能な他の取り付け手段などのような、固定材料または他のカップリングを使用することを含む様々なやり方で、ソール１０１４に取り付けることができる。
【０１１１】
車軸を独立に設けることの一つの利点は、サスペンションの観点によれば、車軸が互いに独立して移動することが可能になり、それによって、より複雑な動きを行う場合に、有用となることである。ソール１０１４をポリマーで構成することは、ユーザーがその上でローリングを行うサーフェスに対するホイール１０２２の接触を助けることに加えて、ショックアブソーバとしても機能し、上記の車軸１０２４と同様に、取り付けられた車軸１０４２及び１０４４への衝撃を緩和する。その他のサスペンション形状については、後に詳しく説明する。
【０１１２】
本発明の他のアスペクトに従い、図２９は、ホイール１０２２の回転を防止するために、ホイール１０２２をロックするために使用可能なロッキング機構１０５０を示す。この図によれば、ロッキング機構１０５０は、カップリング１０５４に摺動可能に取り付けられ、且つ、スライディングに使用可能なシャフト１０５２を備えていて、それによってシャフト１０５２をホイール１０２２の開口部１０５６の中に挿入することができる。シャフト１０５２がホイール１０２２の開口部１０５６の中に挿入されているとき、シャフト１０５２が、カップリング１０５４を介して車軸１０２６に接続されるので、ホイール１０２２の回転が防止されることが分かる。
【０１１３】
図３０は、ホイール１０２２の回転を防止するために使用可能なロッキング機構１０５０の他のアスペクトを示す。このアスペクトにおいて、ロッキング機構１０５０は、パッド１０５８を備えたブレーキとして示されている。このパッド１０５８は、ホイール１０２２の外周面に接触し、ホイール１０２２に摩擦力を作用させて回転を防止する。ホイール１０２２の回転を防止する目的で、様々な種類のロッキング機構を有効に使用することができることは、当業者ならば理解できる。但し、この開示の簡潔性のため、数多くの採用可能なロッキング機構１０５０についての説明は省略する。
【０１１４】
本発明の一つの利点は、ロッキング機構１０５０が、ユーザーがホイール１０２２をロックして回転を防止することを可能にし、外ホイール型ヒーリング装置１０１０を履いたままローリングをせずに歩くことを可能にし、ウォーキングまたはランニングのとき、あたかも通常のシューズを履いているように、安定性を増大させることである。
【０１１５】
本発明の他のアスペクトによれば、ホイール１０２２を車軸１０２４から取り外すことができる。その目的は、ユーザーがヒールまたはロールをすることを望んでいないとき、ユーザーが外ホイール型ヒーリング装置１０１０を普通のテニスシューズとして使用することを可能にすることにある。
【０１１６】
必要なときにホイール１０２２の簡単な取り外しを容易にするため、車軸の端部に、標準的なネジが形成された端部が形成されていても良く、ホイール１０２２を装着するためにそのネジにナットが取り付けられる。ホイールの簡単な取り外しを容易にするための形状は、ロッキング機構１０５０と同様に、様々な数多くの広く知られた形状によって実現することができる。但し、記載の簡潔さのため、その説明は省略する。
【０１１７】
図３１は、外ホイール型ヒーリング装置１０１０の本発明の他のアスペクトを示す。この図は、ソール１０１４の中の開口部１０２６の中に配置されたスリーブ１０６０の部分断面図を示している。車軸１０２４は、スリーブの中に配置され、且つ、ホイール１０２２への接続のためにソール１０１４から突出している。このアスペクトにおいて、カンチレバー機構１０６２がソール１０１４に設けられ、車軸１０２４に係合している。
【０１１８】
また、図３２及び３３に示すように、このカンチレバー機構１０６２は、ソール１０１４の中にヒンジ結合１０６４を設けて、車軸１０２４の上方に配置することができる。このアスペクトにおいて、この車軸１０２４に、車軸を上方に押し付けるバイアス機構（図示せず）を設けることができる。それがスリーブ１０６０の中に配置された場合、一般的に、車軸を履き物１０１２の上部の方向に押し付け、それによって、ホイール１０２２がサーフェスに接触しないポイントまでホイール１０を上昇させる。このことは、先に説明したように、ユーザーがロールまたはヒールすることを望んでいないときに、ユーザーが、通常のテニスシューズを履いている場合と同様に歩くことを可能にするために有用である。
【０１１９】
このカンチレバー機構１０６２は、車軸を下方へ、ソール１０１４の底部の方向へ押し付け、それによって、車軸１０２４に接続されたホイール１０２２をソール１０１４に対して相対的に十分に下側に位置させ、ホイール１０２２をサーフェスに接触させる。このカンチレバー機構１０６２は、回転させたとき、図３３の中に示されているように、車軸１０２４から離すことが可能であり、それにより、車軸１０２４を平面１０６６から引き上げることができる。
【０１２０】
従って、図３２に示されているように、カンチレバー機構１０６２が係合した位置にあるときには、図３３の中に示されているように、離れた位置にあって車軸１０２４が平面１０６６よりも上方に位置している場合とは逆に、車軸１０２４が平面１０６６よりも下に押し下げられることが分かる。車軸１０２４の動きの機構は、先に述べたように、例えば、スプリングまたは他のデバイスなどのバイアス機構であってもよく、それが、車軸１０２４の上に上向きの力を与える。 
次のことが分かる：即ち、バイアス機構が、ヒンジ結合１０６４に対して移動するように描かれているが、その機構は、図中のアーチ状の矢印１０６８の方向に移動しても良く、それによって、カンチレバー機構１０６２をサイドからサイドへ移動させても良い。
【０１２１】
車軸１０２４の引き上げ及び引き下げのために有用なカンチレバー機構１０６１の変形形態または他の形状については、当業者であれば容易に想到することが可能であり、従って、記載の簡潔さのため、詳しい説明は省略する。
【０１２２】
図３４は、外ホイール型ヒーリング装置１０１０の部分背面図を示し、そこには、サスペンション機構１０７０がソール１０１４のかかと部分１０１６の中に配置されているところが、ファントム画法を用いて示されている。このアスペクトにおいて、二つの車軸１０２４が使用されるが、この図には、第一の車軸１０２４のみが描かれている。車軸１０２４は、ソール１０１４ の中の開口部１０２６の中で自由に動くことができる。サスペンション機構１０７０は、このアスペクトにおいて、複数のスプリング１０７２として描かれている。しかしながら、かなりの数の伸張部材を、ソール１０１４の中の開口部１０２６の中に配置して、使用することも可能である。
【０１２３】
次のことが分かる：即ち、車軸１０２４は、車軸１０２４の第一の端部１０７６でソール１０１４に固定されたとき、スプリング１０７２の張力の下、開口部１０２６の中で、自由に移動することができる。スプリング１０７２は、ローリングまたはヒーリングの際、開口部１０２６の中での車軸１０２４の移動を制限することにより、衝撃を吸収し、且つ、ホイール１０２２のサーフェスへの接触状態を改善する。
【０１２４】
本発明は、ユーザーが履き物１０１２の爪先部分１０２０を持ち上げることによって、外ホイール型ヒーリング装置１０１０のホイール１０２２の上でユーザーがローリングをするローリング状態へ移行することを可能にすること含む数多くの利点を実現する。
【０１２５】
一つのアスペクトによれば、本発明の装置は、先に図１４に描かれているものと同様な方法を提供する。しかしながら、サーフェス上で静止状態からローリング状態への移行のために、外ホイール型ヒーリング装置１０１０を使用する。この方法は、ローリングを防止するため履き物１０１２の爪先部分１０２０の少なくとも一部をサーフェス上に接触させることを含む。先にも説明したように、爪先部分１０２０は、ローリングには使用されない。ソール１０１４は、第一のサイド及び第二のサイドを備えたかかと部分１０１６を有する。ソール１０１４は、土踏まず部分１０１８を更に有する。
【０１２６】
この方法は、ソール１０１４の爪先部分１０２０をサーフェスから持ち上げ、それによって、ユーザーの重量の重量が履き物１０１２の爪先部分１０２０によって、全く支持されないか、あるいは、その僅かな一部が支えられるようにすることを含む。
【０１２７】
この方法は、更に、例えばホイール１０２２のような、第一及び第二ホイールを使用して、サーフェス上でローリングをすることを更に含む。ここで、ユーザーの重量の少なくとも一部を支持しながら、第一ホイールは、ソール１０１４のかかと部分の第一のサイドの近傍１０１６で回転可能であり、第二ホイールは、ソール１０１４のかかと部分１０１６の第二のサイドの近傍で回転可能である。
【０１２８】
図３５は、外ホイール型ヒーリング装置１０１０の他のアスペクトを示す。この例では、ソール１０１４のかかと部分１０１に第一の開口部１０８０及び第二の開口部１０８２が設けられている。あるアスペクト（図示せず）において、スリーブまたは管状部材を、ホイール車軸アセンブリのための付加的な支持をもたらすために、第一及び第二の開口部１０８０及び１０８２の中に配置することができる。
【０１２９】
また、 図３６には、車軸１０８４の他のアスペクトが示されている。この例では、車軸１０８４の第一の端部に、結合部分１０８６が設けられ、その結合部分は、例えば、ノッチ、リセスまたは他のカップリングなどであって、車軸１０８４を第一の開口部１０８０及び第二の開口部１０８２の中に保持するために使用される。
【０１３０】
このアスペクトにおいて、外ホイール型ヒーリング装置１０１０には、第二の開口部１０８２と連絡する第一保持機構１０８８が、更に、設けられている。この第一保持機構１０８８は、車軸１０８４の結合部分１０８６に結合するための設けられ、車軸１０８４を第二の開口部１０８２の中に保持する。
【０１３１】
単一の車軸が設けられるアスペクトにおいては、例えば第一保持機構１０８８のような単一の保持機構が、ソール１０１４のかかと部分１０１６の中に車軸を保持するために必要になるであろう。しかしながら、このアスペクトにおいては、二つの別々の車軸１０８４を受けるために第一の開口部１０８０及び第二の開口部１０８２が設けられ、第二保持機構１０９０が、第一の開口部１０８０の中に配置された第二の車軸１０８４を保持するために使用される。
【０１３２】
解放機構１０９２が外ホイール型ヒーリング装置１０１０に設けられ、第一保持機構１０８８及び第二保持機構１０９０と連絡し、第一保持機構１０８０及び第二保持機構１０９０を、車軸１０８４に対する結合状態から解放することを可能にする。これは、コイルスプリング、クリップ、ヒンジ、または他の様々な解放可能な結合を含む多くの方法によって実現される。それらは、ここに開示され説明されている本発明の精神及び技術的範囲に含まれる。
【０１３３】
あるアスペクトにおいて、本発明の装置は、保持機構１０８８及び１０９０が解放機構１０９２によって解放されたとき、車軸１０８４を第一の開口部１０８０及び第二の開口部１０８２から車軸１０８４を押し出すようなバイアスを与えるために、第二の開口部１０８２及び第一の開口部１０８０の中に、それぞれ、第一のスプリング１０９４及び第二のスプリング１０９６を含んでいても良い。これは、解放機構１０９２が作動したとき、車軸１０８４を第一の開口部１０８０及び第二の開口部１０８２から部分的に突出させる。あるアスペクトによれば、ホイール１０２２を車軸１０８４から独立に取り外しできるようにしても良い。それによって、何かの機械的欠陥などがあった場合に、車軸１０８４またはホイール１０２２の分解またはクリーニングを、容易に行うことが可能になる。
【０１３４】
本発明の更なる理解のために、米国特許発明第5, 970, 631号（Inman）、米国特許発明第6, 006, 451号（Morris et al.）、米国特許発明第6, 115, 946号（Morris et  al.）、米国特許発明第6, 151, 806号（Morris et al.）、米国特許発明第6, 158, 150号（Morris et al.）が、リファレンスとしてここに組み込まれる。
【０１３５】
以上のように、本発明により、以上で説明した一または二以上の利点を有する外ホイール型ヒーリング装置が提供されたことが明らかである。これまで、好ましい実施形態について詳細に説明してきたが、様々な、変形、置換、及び変更を、たとえ先に挙げた優位性の全てが実現されていないとしても、本発明の技術的範囲を逸脱することなく行うことができることを理解すべきである。例えば、様々な要素あるいは部品を、他のシステムの中に結合あるいは統合しても良いし、または、一部の特徴が実現されていなくても良い。
【０１３６】
また、好ましい実施形態の中で個別にあるいは別々の個所で説明され図示された部品、テクニック、システム、サブシステム、レイヤー、組成、及び方法を、他の部品、システム、モジュール、テクニック、または方法と、本発明の技術的範囲を逸脱することなく、結合あるいは統合することができる。その他の変更、置換、及び変形は、当業者であれば容易に思いつくことが可能であり、且つ、本発明の精神及び技術的範囲を逸脱することなく行うことが可能である。
【図面の簡単な説明】
【０１３７】
【図１】本発明の一つの実施形態により、スポーツシューズを用いて実現されたヒーリング装置の側面図である。
【図２Ａ】ソールに開口部が設けられたヒーリング装置のソールの一つの実施形態の底面図である。
【図２Ｂ】ソールに開口部が設けられたヒーリング装置のソールの他の実施形態の底面図である。
【図３Ａ】図２Ａに示されたソールの二つの実施形態の底面図であって、ソールの各開口部にホイールが描かれている。
【図３Ｂ】２Ｂに示されたソールの二つの実施形態の底面図であって、ソールの各開口部にホイールが描かれている。
【図４】車軸に回転自在に装着されたホイールの斜視図であって、これはまた、本発明の一つの実施形態によるホイール・アセンブリで使用するためのホイール／車軸装置と呼ばれるものである。
【図５】装着構造の斜視図であって、この装着構造は、図４に示されているような、車軸に回転自在に装着されたホイールとともに使用されて、ホイール・アセンブリを構成する。
【図６】ホイール・アセンブリの底面図であって、このホイール・アセンブリは、図５の装着構造及び図４の車軸に回転自在に装着されたホイールを含んでいる。
【図７】ホイール・アセンブリの側面図であって、履き物に設けられた開口部の中に一部を開口部から突出させた状態で配置されて、ヒーリング装置を構成する。
【図８Ａ】様々なホイールのプロファイルの一つであって、本発明の実施形態において使用されるホイールの外観形状を示している。
【図８Ｂ】様々なホイールのプロファイルの一つであって、本発明の実施形態において使用されるホイールの外観形状を示している。
【図８Ｃ】様々なホイールのプロファイルの一つであって、本発明の実施形態において使用されるホイールの外観形状を示している。
【図８Ｄ】様々なホイールのプロファイルの一つであって、本発明の実施形態において使用されるホイールの外観形状を示している。
【図９】ヒーリング装置のホイール・アセンブリの一つで使用される他の実施形態の装着構造の斜視図である。
【図１０】ヒーリング装置で使用される更に他の実施形態を使用するホイール・アセンブリの斜視図である。
【図１１】ヒーリング装置の一つの実施形態の側面図及び部分断面図であって、ヒーリング装置のソールに設けられたホイール・アセンブリ、及び、ソールの中を完全には貫通していないソールの開口部を示している。
【図１２】他の実施形態の側面図であって、ホイール及びソールの開口部をカバーするように配置された取り外し可能なホイールカバーを備えた本発明のヒーリング装置を示している。
【図１３】本発明の他の実施形態の底面図であって、ソールのかかと部分の開口部の中の装着構造の中に配置され、ホイールとして機能する球形ボールを備えている。
【図１４】本発明を使用して“ヒール”する“ヒーラー”を示している。
【図１５】車軸に回転自在に装着されたホイールの斜視図であって、これはまた、図４と同様に、ホイール／車軸装置と呼ばれるものである。
【図１６】図１５のホイール／車軸装置の伸縮式の車軸の断面図であって、この車軸は、スプリングを内蔵した伸縮式の車軸として構成されている。
【図１７】図１５及び図１６に示されているような、ホイール／車軸装置及び伸縮式の車軸と共に使用されてホイール・アセンブリを構成する他の装着構造の斜視図である。
【図１８】ソールの開口部の中に配置されたホイール・アセンブリの側面図及び断面図であって、車軸の一つの実施形態を示しており、この車軸は、キングピン装置と呼ばれる装置を用いて装着構造に接続され、引き込み可能なホイールを実現する。
【図１９】図１８のホイール・アセンブリの底面図であって、更に、複式キングピン装置をも示している。
【図２０】装着構造の一つの部材の側面図であって、この図は、複式キングピン装置を用いて車軸を装着構造に接続するところを示している。
【図２１】ツーピース・ホイールの分解図／斜視図であって、本発明で使用することができる内側のコア及び外側のタイヤを含んでいる。
【図２２】本発明の一つのアスペクトに従って構成された外ホイール型ヒーリング装置の側面図である。
【図２３】図２２に示された装置の底面図であり、履き物のソール部分を貫通する車軸を示している。
【図２４】図２２及び２３に示された装置の背面図であり、履き物のソール部分の近傍に配置されたホイールを示している。
【図２５】本発明の他のアスペクトに従って構成された本発明の装置を示し、ホイールが配置されるリセスが設けられたソールを示している。
【図２６】図２５に示された履き物の底面図である。
【図２７】図２５及び２６に示された履き物の背面図であり、履き物のソールのかかと部分の下に部分的に配置され、且つ、履き物のソールから部分的に横方向に突出したホイールを示している。
【図２８】本発明の他のアスペクトの底面図であって、第一及び第二ホイールに結合された第一及び第二の車軸を示している。
【図２９】本発明の一つのアスペクトに従って構成された、回転を防止するためにホイールをロックするためのロッキング機構の斜視図である。
【図３０】ロッキング機構の他のアスペクトの斜視図である。
【図３１】履き物の背面図であって、本発明の他のアスペクトを示している。
【図３２】履き物を履いたままユーザーが歩くことを可能にするために、車軸及びホイールを持ち上げることができるサスペンションシステム及びカンチレバー機構の側面図である。
【図３３】車軸を持ち上げる位置にあるカンチレバー機構を示している。
【図３４】本発明の更に他のアスペクトに従って、履き物のソールに設けられたサスペンション機構を示している。
【図３５】本発明の他のアスペクトの背面図であって、保持機構及び解放機構をファントム画法を用いて示している。
【図３６】車軸を保持するための結合部分を備えた、本発明の車軸の他のアスペクトの側面図である。
【符号の説明】
【０１３８】
１０…ヒーリング装置、１２…スポーツシューズ、１４…ソール、１６…ホイール、１８…かかと部分、２０…土踏まず部分、２２…爪先部分、１０１０…外ホイール型ヒーリング装置、１０１２…履き物、１０１４…ソール、１０１６…かかと部分、１０１８…土踏まず部分、１０２０…爪先部分、１０２２…ホイール、１０２４…車軸、１０２６…開口部、１０３０…第一のサイド、１０３２…第二のサイド、１０３４…外周のエッジ、１０３６…グラインド・プレート、１０４０…開口部、１０４２…第一の車軸、１０４４…第二の車軸、１０５０…ロッキング機構、１０５２…シャフト、１０５４…カップリング、１０５６…開口部、１０５８…パッド、１０６０…スリーブ、１０６２…カンチレバー機構、１０６４…ヒンジ結合、１０６６…平面、１０６８…矢印、１０７０…サスペンション機構、１０７２…スプリング、１０８０…第一の開口部、１０８２…第二の開口部、１０８４…車軸、１０８６…結合部分、１０８８…第一保持機構、１０９０…第二保持機構、１０９２…解放機構、１０９４…第一のスプリング、１０９６…第二のスプリング。
【図１】
2005518259.tif 000003
【図２Ａ】
2005518259.tif 000004
【図２Ｂ】
2005518259.tif 000005
【図３Ａ】
2005518259.tif 000006
【図３Ｂ】
2005518259.tif 000007
【図４】
2005518259.tif 000008
【図５】
2005518259.tif 000009
【図６】
2005518259.tif 000010
【図７】
2005518259.tif 000011
【図８Ａ】
2005518259.tif 000012
【図８Ｂ】
2005518259.tif 000013
【図８Ｃ】
2005518259.tif 000014
【図８Ｄ】
2005518259.tif 000015
【図９】
2005518259.tif 000016
【図１０】
2005518259.tif 000017
【図１１】
2005518259.tif 000018
【図１２】
2005518259.tif 000019
【図１３】
2005518259.tif 000020
【図１４】
2005518259.tif 000021
【図１５】
2005518259.tif 000022
【図１６】
2005518259.tif 000023
【図１７】
2005518259.tif 000024
【図１８】
2005518259.tif 000025
【図１９】
2005518259.tif 000026
【図２０】
2005518259.tif 000027
【図２１】
2005518259.tif 000028
【図２２】
2005518259.tif 000029
【図２３】
2005518259.tif 000030
【図２４】
2005518259.tif 000031
【図２５】
2005518259.tif 000032
【図２６】
2005518259.tif 000033
【図２７】
2005518259.tif 000034
【図２８】
2005518259.tif 000035
【図２９】
2005518259.tif 000036
【図３０】
2005518259.tif 000037
【図３１】
2005518259.tif 000038
【図３２】
2005518259.tif 000039
【図３３】
2005518259.tif 000040
【図３４】
2005518259.tif 000041
【図３５】
2005518259.tif 000042
【図３６】
2005518259.tif 000043
【国際調査報告】
2005518259.tif 000044
2005518259.tif 000045